Podtech/llm-jp-corpus-v4-ja_patent huggingface dataset:
(57)【要約】【課題】底面に発熱体としてのカーボンを貼り付けた電磁調理器用食器において外観を損なわずに熱効率の良い食器を提供することを課題とした。【解決手段】食器の底を薄くするために土鍋では底を釉薬のみを残して削り取り、釉薬にカーボンを貼り付ける。また石鍋においては厚さ５ミリ程度の石板をカーボン板に貼り付けて強度を持たせてから、石板を厚さ１ミリ程度に薄く削り、この石板を貼り付けたカーボン板を、底をくり抜いた石鍋の底に貼り付け固着させることで課題を解決した。【選択図】図１
2006181044.tif 000002
【特許請求の範囲】
【請求項１】
土鍋の底を土鍋の外側から削ってカーボンの板を固着させた土鍋において、土鍋の底を削り取り、釉薬の層を残した土鍋を作り、この土鍋の削られた底面にカーボンの板を接着剤で固着させたことを特徴とする食器。
【請求項２】
石鍋や陶器製鍋の底をくり抜き、くり抜いた所に陶器の板や石の板、又は金属の板などを固着させたカーボン板をはめ込み石鍋や陶器鍋の底の周辺部分でカーボン板と鍋とを固着させたことを特徴とする土鍋。
【発明の詳細な説明】
【技術分野】
【０００１】
本発明は、電磁調理器で用いられる食器に関するものである。
【背景技術】
【０００２】
従来より電磁調理器で使用される土鍋として、底にカーボン板をはめ込んだものや、土鍋の底にカーボン板を固着させた製品が提供されているが、底にカーボン板をはめ込んだ場合、土鍋としての外観を損なわない為にはカーボン板に表面処理を行う必要があり、また底にカーボン板を固着させた製品の場合は陶土と釉薬の層がカーボンの表面を覆うため、カーボンに表面処理をした場合より加熱効率が悪くなる点が問題であった。また、石鍋では底を薄く削ると破損するため薄く削ることが困難であった。
【発明の開示】
【発明が解決しようとする課題】
【０００３】
土鍋の底を薄く削ってカーボン板を土鍋の削られた面に接着剤で貼り合わせて固着させた食器を製造するとき問題となるのは、土鍋の底面の厚さを０．５〜１．５ミリ程度にまで薄く削ることである。
【０００４】
しかし、陶器はもともと陶土を素焼きしたのち釉薬をかけ１２００℃程度に加熱して製造する。１２００℃程度に加熱したとき焼き締まって７％前後縮むことになる。そのとき土鍋の直径も縮み小さくなる。土鍋の底も縮むが、周囲からの縮みによって底面は僅かに起伏を生じるようになる。
【０００５】
この起伏の程度は同じ陶土、同じ炉中で焼かれても炉内の温度むらによって一定にすることが難しい。そのため、底を薄く削り込んで行くと部分的に穴が開いてしまう。つまり起伏により底の厚さが一定でなくなり薄い部分に穴が開くのである。
【０００６】
このために底が一番薄くなっている所を基準に１ミリの厚さに削ると、その他の部分は１ミリ以上の厚さとなり土鍋の底面を均一に１ミリ以下に削ることが出来なかった。
【０００７】
また、石鍋では削ると厚さが１ミリに達する前に破損してしまい、底を薄くすることが出来なかった。
【課題を解決するための手段】
【０００８】
本発明は、底に１ミリ程度の厚さの釉薬をつけた土鍋を作り、土鍋を底から釉薬の面まで削り取り、底を釉薬面の均一な厚さにしてカーボン板を貼り付けること、また、石鍋においては５ミリ程度の厚さの石板を予めカーボン板に貼り付け、破損しないように強度を持たせた上で石板の表面を削って１ミリ以下に薄く削りこれを底をくり抜いた石鍋の底に貼り付けることを最も主要な特徴とする。
【発明の効果】
【０００９】
本発明の土鍋や石鍋は、底に釉薬や石板を残すため外観は全く変わらず、かつ、底は均一の厚さになっているため熱の伝導は均一となり熱効率が向上するという利点がある。
【発明を実施するための最良の形態】
【００１０】
電磁調理器で効率よく加熱するためには、鍋底を出来るだけ薄く作る必要があるので、土鍋の場合は底を釉薬の層のみ残して削り取る。石鍋の場合は底を１ミリ程度に薄く削ると破損してしまうので、石鍋の底をくり抜き、予め厚さ５ミリ程度の石の板を石鍋のくり抜いた底の内径の大きさに合わせて切り、石鍋の底の大きさと同じ大きさにカットしたカーボン板に接着剤で貼り付けて石の板に強度を持たせる。そして、石の板を厚さ１ミリ程度になるまで削り込む。この場合、石の板はカーボン板により裏打ちされているので１ミリ程度の薄さまで削っても破損することはない。この石板を貼り付けたカーボン板を、くり抜いた石鍋の底にはめ込み接着剤で固着させる。また、カーボン板も石板同じ大きさ、即ち、くり抜いた石鍋の底の内径と同じ大きさにカットし、石鍋の底にはめ込み、鍋底の周辺で石鍋と接着剤で固着させてもよい。
【実施例１】
【００１１】
図１は、本発明の１実施例の断面図であって、予め底に１ミリ程度の厚さに釉薬を塗った土鍋（１）を作り、その土鍋の底を裏面から釉薬面（３）が露出するまで削り、そこに接着剤（４）によりカーボン板（２）を貼り付けたものである。上面は土鍋と全く変わらないので違和感を感じることなく鍋料理を楽しむことが出来る。
【実施例２】
【００１２】
図２は、本発明の他の実施例で、電磁調理器で加熱出来るように改造した石鍋の説明図である。底をくり抜いた石鍋（５）に、石鍋のくり抜かれた底の内径と同じ大きさにカットした石の板（６）を、石鍋の底の形状に合わせてカットしたカーボン板（２）に貼り付け、この石板を１ミリほどの厚さに削り込んで、この石板を貼り付けたカーボン板を石鍋の底にはめ込んで接着する。
【００１３】
図３は図２で説明した実施例の石鍋の断面図であって、底をくり抜いた石鍋（５）に石板（６）を貼り付けたカーボン板（２）をはめ込み、石鍋のくり抜いた底の周辺部と鍋底でカーボン板（２）を接着剤（４）で貼り合わせた状態を示す。
【産業上の利用可能性】
【００１４】
外食産業や一般家庭において電磁調理器を利用して鍋料理を楽しむ場合、外観が殆ど鍋と変わらないので違和感を感じることなく土鍋や石鍋の感覚で使用出来、かつ、鍋底と発熱体のカーボン板との間は１ミリ程度しかないので熱の伝導がよく、また鍋底の釉薬層や石板の層は均一に削られているため熱のむらが無く簡単に電磁調理器で土鍋や石鍋の料理を楽しむことが出来る。
【図面の簡単な説明】
【００１５】
【図１】電磁調理器用土鍋の断面図である。（実施例１）
【図２】電磁調理器用石鍋の説明図である。（実施例２）
【図３】電磁調理器用石鍋の断面図である。（実施例２）
【符号の説明】
【００１６】
１  土鍋本体
２  加熱用カーボン板
３  土鍋の底に塗られた釉薬
４  接着剤
５  底をくり抜いた石鍋
６  石鍋と同じ材質の石の板
【図１】
2006181044.tif 000003
【図２】
2006181044.tif 000004
【図３】
2006181044.tif 000005
(57)【要約】【課題】ビビンバ料理など石鍋を使用する料理を電磁調理器を使って手軽に楽しめる食器を提供することを課題とした。【解決手段】石鍋を包み込むように石鍋の外側に密着する形状の容器をアルミ鋳物、またはカーボンで作る。アルミ鋳物の場合は電磁調理器で発熱させるために底に磁性体の溶射層を設ける。この容器の中にアルミニウムより融点の低い金属を入れ容器を加熱して挿入した金属を溶融させる。この中に加熱した石鍋をはめ込み石鍋とアルミ鋳物またはカーボンの容器を溶融金属を介在させて固着させることで課題を解決した。【選択図】図１
2006181049.tif 000002
【特許請求の範囲】
【請求項１】
電磁調理器で加熱する石鍋において、石鍋の側面および底面に密着する形状のアルミ鋳物、またはカーボンの容器を作り、アルミ鋳物の容器には底に磁性体の溶射層を設け、その容器と石鍋との間の隙間にアルミニウムよりも融点の低い金属を充填させた事を特徴とする電磁調理器用石鍋。
【発明の詳細な説明】
【技術分野】
【０００１】
本発明は、電磁調理器で加熱する石鍋に関するものである。
【背景技術】
【０００２】
従来ビビンバなどの料理は石鍋全体を加熱し、その余熱を利用して鍋の底面だけでなく側面の上方部分の内壁に接する食材を焦げさせて調理していた。このため鍋の温度を高く設定する必要があり肉厚の保温性の良い食器が必要で主としてガスで石鍋の底面も側面も加熱して用いられて来た。このため電磁調理器では底面のみしか加熱出来ず、これらの料理を調理することは困難であった。
【発明の開示】
【発明が解決しようとする課題】
【０００３】
解決しようとする問題点は、石鍋を電磁調理器で加熱し、かつ、石鍋の温度を高温に保持することを課題とした。
【課題を解決するための手段】
【０００４】
本発明は、石鍋全体を底に磁性体の溶射層を有するアルミ鋳物、またはカーボンの容器で包み込み、石鍋と外側の容器の接着面の隙間にアルミニウムよりも融点の低い金属をを充填したことを最も主要な特徴とする。
【発明の効果】
【０００５】
本発明の石鍋は底に溶射層を有するアルミ鋳物、又はカーボンで包まれているため電磁調理器で容易に加熱出来、またアルミは熱の伝導が良いので石鍋の底面も側面も素早く加熱する。またカーボンも電磁調理器で発熱して石鍋を加熱し石鍋の放熱を防止する。この場合石鍋と容器との隙間に空気が存在すると、熱の伝導を妨害するので、これを防止するためにこの隙間をアルミニウムよりも融点の低い金属で充填する。この鍋を利用すれば外食産業や家庭で気軽に電磁調理器を用いてビビンバ料理を楽しむことが出来る。
【発明を実施するための最良の形態】
【０００６】
アルミ鋳物またはカーボンで石鍋の外壁を包み込む形状の容器を作る。アルミ鋳物の場合は電磁調理器に対応させるために底面に磁性体の溶射層を固着させる。この容器の中にアルミニウムよりも融点の低い金属を入れ加熱して挿入した金属を溶融状態とする。溶融金属の入っている状態でこの中に４００℃以上に加熱した石鍋を挿入する。これで石鍋と容器は溶融金属を介在して密着し熱伝導の良い電磁調理器で加熱出来る石鍋が出来る。
【実施例】
【０００７】
図１は、本発明の１実施例の断面図であって、石鍋（１）の周囲に密着する容器（２）をアルミ鋳物またはカーボンで作る。容器をアルミ鋳物で作成したときは底に電磁調理器に反応させるために磁性体の溶射層（４）を設ける。この容器の中に実施例では溶融金属として亜鉛（３）を入れ加熱して亜鉛を溶融させる。この容器の中に４００℃程度に加熱した石鍋（１）を挿入し石鍋と容器を亜鉛を介在させて密着させる。
【産業上の利用可能性】
【０００８】
ビビンバなどの料理に使用する石鍋は高温に加熱する必要があるため従来は家庭での調理は困難であったが、この鍋を使用することで電磁調理器を利用して簡単に石鍋料理が家庭でも楽しめることになった。
【図面の簡単な説明】
【０００９】
【図１】本発明の石鍋の断面図である。
【符号の説明】
【００１０】
１  石鍋
２  アルミ鋳物
３  亜鉛
４  磁性体の溶射層
【図１】
2006181049.tif 000003
(57)【要約】【課題】  顔面に装着し使用するマスクで、血行促進による美顔効果のある瞬間冷却剤を提供する。【解決手段】  瞬間冷却剤の袋の形を顔の大きさと同じくらいのマスク型にし、鼻の凹凸にあわせ、鼻にあたる部分に切り込みをいれることを特徴とするマスク型の瞬間冷却剤。【選択図】  図１
2006181320.tif 000002
【特許請求の範囲】
【請求項１】
瞬間冷却剤の袋の形を顔の大きさと同じくらいのマスク型にし、鼻の凹凸にあわせ、鼻にあたる部分に切り込みをいれたことを特徴とするマスク型の瞬間冷却剤。
【発明の詳細な説明】
【技術分野】
【０００１】  本発明は、顔面に装着し使用するマスクで、血行促進による美顔効果のある瞬間冷却剤に関するものである。
【背景技術】
【０００２】  従来、熱を出したときに額を冷やすための四角い型のものがあったが、顔全体を覆うマスク型のものはなかった。
【発明の開示】
【発明が解決しようとする課題】
【０００３】  そのために次のような問題点があった。
（イ）顔面の血管を冷やして収縮させると血行が促進され、新陳代謝を促す。この美顔        方法を行うため、氷水を用意してタオルを浸してしぼり、冷たくしたタオルで顔        面を冷やしていた。
（ロ）タオルがすぐ温まってしまうので、氷水にタオルを浸してしぼり、顔にあてる動        作を何度かくり返しおこなっていた。
本発明は、これらの問題点を解決するためになされたものである。
【課題を解決するための手段】
【０００４】  瞬間冷却剤の袋の形を顔の大きさと同じくらいのマスク型にする。鼻の凹凸にあわせ、鼻にあたる部分に切り込みをいれる。
【発明の効果】
【０００５】  短時間で効率よく顔全体を冷やし、血行促進を良くすることができ、氷水などを用意する手間も省くことができ、再冷凍して何度でも使うことができる。
【発明を実施するための最良の形態】
【０００６】  以下、本発明の実施の形態について説明する。
（イ）瞬間冷却剤の入った袋（１）を顔の大きさと同じくらいのマスク型にする。
（ロ）瞬間冷却剤と顔の密着度をよくするため鼻の凹凸にあわせ、鼻にあたる部分（２）      だけに切り込みを入れる。
本発明は以上のような構成で、これを使用するときは、冷凍庫で冷やした瞬間冷却剤を顔にのせ、顔面を冷やす。適度に顔面が冷えたらやめる。瞬間冷却剤は再び、冷凍庫で冷やす。これを毎日繰り返すことにより、顔の血行促進を良くし、肌の新陳代謝を促すことができる。
【実施例】
【０００７】図３に示すようにマスク型をした瞬間冷却剤に柔軟性があり、肌への密着度が高い場合は鼻部分に切り込みを入れずに使用してもよい。
【図面の簡単な説明】
【０００８】
【図１】本発明の正面図
【図２】本発明の使用時の斜視図
【図３】本発明の他の実施例を示す正面図
【符号の説明】
【０００９】１  瞬間冷却剤の袋
２  鼻部分の切り込み
【図１】
2006181320.tif 000003
【図２】
2006181320.tif 000004
【図３】
2006181320.tif 000005
(57)【要約】【課題】  歯ブラシは古来からの、手動ブラシと、近代の電動ブラシがあるが、どれも歯間にくい込んだ食べカスの除去が良く出来ないために、そのチェック検診処理を、歯間楊子歯間ブラシで補足する人が多くいるが、口内の奥歯や裏側は一般のカガミでは見えにくいために、歯垢歯石の付着に気づかず、昔も今も、これらが虫歯の出来る原因でもあったので、この原因をなくすために、歯科用具付歯ブラシを提供しようとするものである。【解決手段】  歯科用具の一部であるが内視鏡カガミと拡大鏡とさらに、歯間楊子歯間ブラシ歯垢歯石用具を一本の歯ブラシ本体に、コンパクトな構造でセット化した特徴ある、歯科用具付き歯ブラシである。【選択図】  図１
2006181314.tif 000002
【特許請求の範囲】
【請求項１】
（イ）歯ブラシ本体に、収納ボックスを設ける。
（ロ）その収納室（８）の中に、歯科用具の歯間楊子（９）歯間ブラシ（１０）歯垢歯石用具（１１）を収納する。
（ハ）収納ボックスのフタ役のキャップ（４）に口内を見る内視鏡のカガミ（５）拡大鏡（６）を設ける。
以上のような構成からなる、歯科用具付き歯ブラシ。
【発明の詳細な説明】
【技術分野】
【０００１】  本発明は、歯ブラシ本体に、収納室を設けて、補助用具である歯間楊子、歯間ブラシ、歯垢歯石用具を常に収納し、そのフタであるキャップの頭に、内視鏡のカガミと拡大鏡がついており、歯磨きの後に自分で検診が出来る、歯科用具付き歯ブラシに関するものである。
【背景技術】
【０００２】  従来の歯ブラシは、一本のハンド棒状の歯ブラシで、歯を磨くだけが目的であり、自分の口内を検診チェックする用具は付属されてなく、別々に取りそろえなくてはならず一般に持っている者は少なかった。
電動ブラシの場合も、歯磨き目的用具で、磨き後のチェック検診機能が付属されてなく、磨いても除去出来ない食べかすが歯間に残っていたり、歯垢歯石の堆積を自覚してもその処理用具は手元にない場合が多く、子供も大人も御座なり的な歯磨き習慣が、虫歯の発生原因を生んでいた。
【発明の開示】
【発明が解決しようとする課題】
【０００３】  そのため次のような問題点があった。
歯を磨いた後、洗面鏡の前で口内を覗いても、用具がないことが多く自己検診、チェックは良く出来ず、虫歯や歯の病気が進行したもので、歯科医は歯磨きの指導をするのであるが、効率的なハブラシがないこと、補助具の助けが必要であった。
本発明は、以上の問題点を解決しようとするものである。
【課題を解決しようとする手段】
【０００４】  歯ブラシを手でにぎるハンド棒状の中を空洞化し、収納室（８）を設け、歯磨きの補助具の歯科用具を収納し、そのフタでもあるキャップ（４）に内視鏡カガミ（５）拡大鏡（６）を構成し、自分で口内を覗き見てチェックの習慣と処置をしやすいように、一体にセット化し、旅行などの携帯にも便利な特徴のある、歯科用具付き歯ブラシである。
【発明の効果】
【０００５】  本発明は、３６５日歯を磨くたびに、手にする歯ブラシの本体に、チェック、検診の出来る内視鏡カガミと拡大鏡が付いているので、自己診断の気持ちが習慣的となり、歯磨きの不完全を補う効果で、歯の健康に良いので、大人だけでなく、子供さんにも良い磨き方を自覚させるようになる。
【発明を実施するための最良の形態】
【０００６】  以下、本発明の実施の形態を説明する。
（イ）材質は高質の合成樹脂、ポリプロピレン系で、精密成型製法による透明性の本体からなる。
（ロ）主目的の歯ブラシ（２）のＡは耐久性のある、通常のナイロン系の歯ブラシを、樹脂に埋め込む。
（ハ）収納ボックス（３）にネジ込み式の、キャップ（４）の頭部に構成する、カガミ（５）拡大鏡（６）は割れない強化材を用いる。
（ニ）歯間楊子（９）は、先細のサビナイ鋼材を、つかみ易い、プラスチックの柄に成形。
（ホ）歯間ブラシ（１０）は、細いステンレス鋼材の先に、ナイロン系の、毛細ブラシを、はさみ巻き付け加工する。
（ヘ）歯垢歯石用具（１１）は、ステンレス平板鋼材の先端を、熊手の角度に折り曲げたものを少し刃先をつけて、削りやすく加工。柄もにぎりやすく、プラスチック成形にする。
（ト）歯ブラシ（２）のＡは、取り替え差し込み口（２）のＢ部分で、抜き出し出来る構造であり、（２）のＡを、取り替え出来る構成であるので、本発明品を使用する方も、製造する工程上もよいのである。
本発明は以上の構造、構成からなる、歯科用具付き歯ブラシ。
【図面の簡単な説明】
【０００７】
【図１】  本発明の斜視図
【図２】  本発明の分解図
【図３】  本発明の収納室拡大、キャップの頭部展開図
【図４】  本発明のキャップ拡大図
【図５】  本発明の付属品、歯間楊子
【図６】  本発明の付属品、歯間ブラシ
【図７】  本発明の付属品、歯垢歯石用具
【符号の説明】
【０００８】      １      歯科用具付き歯ブラシ
２のＡ      歯ブラシ
２のＢ      取替差し込み口
３      収納ボックス
４      キャップ
５      カガミ
６      拡大鏡
７      ネジ溝
８      収納室
９      歯間楊子
１０      歯間ブラシ
１１      歯垢歯石用具
（１２）      参考の絵図
（１３）      参考の拡大絵図
【図１】
2006181314.tif 000003
【図２】
2006181314.tif 000004
【図３】
2006181314.tif 000005
【図４】
2006181314.tif 000006
【図５】
2006181314.tif 000007
【図６】
2006181314.tif 000008
【図７】
2006181314.tif 000009
(57)【要約】      （修正有）【課題】底の平らな天婦ら鍋の底にたまった天カスを掬い取る掬い網で、底の平らな天婦ら鍋の天カスを簡単に、すばやくすくい取ることが出来る鍋底カスのすくい網を提供する。【解決手段】丸い網の一部を直線にして、変形した網１に網１と同じ形をしたリング２で固定し、リング２に丸棒３を設け、丸棒３に柄４を設け、柄４の先端に引掛けリング５を設けた。【選択図】図１
2006181316.tif 000002
【特許請求の範囲】
【請求項１】
変形した網に網と同じ形をしたリングで固定し、リングに丸棒を設け、丸棒に柄を設け、柄の先端に引掛けリングを設けた鍋底カスのすくい網。
【発明の詳細な説明】
【技術分野】
【０００１】  本発明は、底の平らな天婦ら鍋の底にたまった天カスを掬い取る掬い網で、一般的には、丸い掬い網の一部を直線にして底の平らな天婦ら鍋の天カスを簡単に、すばやくすくい取ることが出来る鍋底カスのすくい網に関するものである。
【背景技術】
【０００２】  従来、すくい網は丸い物だけだったので底部の天カスを取り除くのに網を何度も移動して取っていた。
【発明の開示】
【発明が解決しようとする課題】
【０００３】  そのために次のような問題点があった。
底の平らな天婦ら鍋の底に沈んだ天カスを全部掬いきるまで、何回も作業をしなくてはならなかった。
本発明は以上の問題点を解決しようとするものである。
【課題を解決するための手段】
【０００４】  変形した網に網と同じ形をしたリングで固定し、リングに丸棒を設け、丸棒に柄を設け、柄の先端に引掛けリングを設ける。
以上のように構成された鍋底カスのすくい網である。
【発明の効果】
【０００５】  本発明は、揚げ物、その他、料理の後、片付けをするときに、割りと簡単に作業を終了することが出来る。
【発明を実施するための最良の形態】
【０００６】  以下本発明の実施の形態を説明する。
（イ）変形した網（１）に網と同じ形をした鉄板のリング（２）を当てて、プレス機で網を鋏む様にしてしっかり固定する。
（ロ）変形した網（１）に固定した変形のリング（２）の適当な所に約４ｍｍ位の丸棒（３）の端を平らにつぶして溶接をする。
（ハ）丸棒（３）のつぶした反対側に木製の柄（４）を付ける。
（ニ）木製の柄（４）の先端に穴空きボードなどに下げられる様に引掛けリング（５）を付ける。
本発明は以上のような構造になっている。
【図面の簡単な説明】
【０００７】
【図１】  本発明の分解斜視図である。
【図２】  本発明の斜視図である。
【図３】  本発明の使用状態を示した斜視図である。
【符号の説明】
【０００８】  １  網
２  リング
３  丸棒
４  柄
５  引掛けリング
【図１】
2006181316.tif 000003
【図２】
2006181316.tif 000004
【図３】
2006181316.tif 000005
(57)【要約】【課題】土踏まずのツボを押圧する力を従来のものより強くし、強弱の調節が可能になり、足のダイエット効果が得られ、しかも、他人にダイエットスリッパというのが知られないスリッパ。【解決の手段】爪先から踵までの長さを有するスリッパの足底の土踏まずの位置に突起物（２）を付け、足底前方（３）を硬質素材、足底後方（４）を軟質素材の２種類の硬さが異なる素材で足底を形成している。【選択図】図２
2006181319.tif 000002
【特許請求の範囲】
【請求項１】
スリッパ足底の土踏まずに当る部分に突起物を設け、前方を硬質素材、後方を柔質素材の２種類の硬さの異なる素材を使用することを特長とする土踏まず押圧スリッパ。
【発明の詳細な説明】
【技術分野】
【０００１】この発明は、土踏まずのツボを踵への体重のかけることによりいままでにない強い押圧力を得ることができ、しかも体重のかけ方により強弱を付けることができる。足の後側部分であるふくろはぎやアキレス腱を伸ばして健康になる健康用具と、足の筋肉を引き締めスリムな足にするための美容用具の両方の機能を持つ履物に関するものである。
【背景技術】
【０００２】従来、足底の上面に土踏まずのツボを押圧する突起を設けたスリッパが知られている。また、踵を上げて履き足の筋肉を引き締め足を細くする為、踵部分を取り除き、短くしたダイエットスリッパも知られている。
【発明の開示】
【発明が解決しようとする課題】
【０００３】これは次のようなことがあった。
（イ）土踏まずのツボを一定の力でしか押圧できず、より強い押圧を得られない。
（ロ）ツボ押しスリッパはツボ押し機能だけでダイエット機能がない。
（ハ）踵部分を取り除き、短くしたダイエットスリッパは外見でダイエットしているのが他人に知られてしまう。
本発明は、上記の欠点を解決するためになされたものである。
【課題を解決するための手段】
【０００４】爪先から踵までの長さを有するスリッパの足底（１）の土踏まずの位置に突起物（２）を付け、足底前方（３）を硬質素材、足底後方（４）を軟質素材の２種類の硬さが異なる素材で足底を形成している。
本発明は、上記の構造による土踏まずグイグイスリッパである。
【発明の効果】
【０００５】本発明を使用すると、外見は普通のスリッパなので他人に気付かれずに使用でき、健康面では、土踏まずのツボを踵へ体重をかけることにより、強い押圧力がえられ、体重のかけ具合により、気持ち良い強さに調節して押圧ができ、踵を沈めることにより、ふくろはぎやアキレス腱を伸ばすことができる。美容面では外見は普通のスリッパなので他人に気付かれずに、足の筋肉を引き締めスリムな足になる。
【発明を実施するための最良の形態】
【０００６】スリッパを履くと突起物（２）により土踏まずのツボを押圧する。より強い押圧力を得たい時は、踵に体重をかけると足底後方（４）の素材が軟質のため踵が沈み、踵が沈んだ分土踏まず部分のツボを押圧する力が強まる。このように踵への体重のかけ具合によりツボの押圧力を調節することができる。また、踵に体重をかけて足底後方（４）に沈めることにより、ふくろはぎやアキレス腱を伸ばすことができる。このスリッパを履いて歩行する場合は、足底後方（４）の素材が軟質のため踵を浮かせた状態で歩行するため、足の筋肉を引き締める効果がえられる。しかも、足底前方（３）と足底後方（４）の２種類の素材を合わせて足底を形成しているため、踵部分を取り除いて短くしたスリッパと異なり、外見は普通のスリッパに見え他人に知られずにダイエットできる。
【実施例】
【０００７】実施例について図面を用いて説明する。
スリッパの足底（１）の足の土踏まずがあたる部分に突起物（２）を付け、足底前方（３）は硬質の素材、足底後方（４）は軟質の素材を用いる。本発明は、上記のような構造であり使用する時は、突起物（２）で土踏まずのツボを押圧し、より強い押圧力を得たい時は、体重を踵にかけると踵が沈み押圧力を強められるので、体重のかけ具合によりツボへの押圧を変えることができる。また、踵に体重をかけて足底後方（４）に沈めることにより、ふくろはぎやアキレス腱を伸ばすことができる。歩行する時は、踵を浮かせた状態での歩行になるため足の筋肉を引き締める。しかも、外見は普通のスリッパなので他人に気付かれずに健康な体になるのと同時にスリムな足づくりになる。
【図面の簡単な説明】
【０００８】
【図１】本発明の斜視図である。
【図２】本発明の足底の上面図である。
【図３】本発明の断面図である。
【図４】本発明の踵に体重をかけて使用している状態を示す斜視図である。
【図５】本発明の歩行時に踵を上げて使用している状態を示す斜視図である。
【符号の説明】
【０００９】１  足底
２  ツボ押し
３  足底前方
４  足底後方
【図１】
2006181319.tif 000003
【図２】
2006181319.tif 000004
【図３】
2006181319.tif 000005
【図４】
2006181319.tif 000006
【図５】
2006181319.tif 000007
(57)【要約】      （修正有）【課題】汚れやすいこたつぶとんにビニール製のシートがつき、汚れを防止できる布団カバーを提供する。【解決手段】こたつぶとんカバー本体の表面１にマジックテープ４をとりつける。ビニール製シート３にマジックテープ５をとりつける。マジックテープ４をとりつけたこたつぶとんカバーとマジックテープ５をとりつけたビニール製シートを組みあわせる。これによって汚れを防止できるようにする。【選択図】図１
2006181318.tif 000002
【特許請求の範囲】
【請求項１】
こたつぶとんカバーの上部をビニール製にすることによって、汚れてもすぐふけば汚れを防止することができ、着脱テープによってビニールをはずしとりかえることも  洗うこともできる。上掛けとしても使える
【発明の詳細な説明】
【発明の繊細な説明】
【０００１】［発明の属する技術分野］本発明は、こたつぶとんカバーの上部分をビニール製にすることによってよごれを防止できるようにしたものである。
【０００２】［従来の技術］従来は、ビニールを使用したこたつぶとんカバーはなかった。
【０００３】［発明が解決しようとする課題］従来のこたつぶとんカバーの表面は汚れる度に洗わなくてはならない。本発明は、この課題を解消するためになされたものである。
【０００４】［課題を解決するための手段］こたつぶとんカバーの本体２にビニール製シート３を装着することによって、表面が汚れてもふきとることができるようにした。またビニール製シート３をマジックテープでとりつけることによって、着脱可能にし、こたつぶとんカバー本体１を洗うことができるようにした。
【０００５】［発明の実施の形態］  以下、本発明の実施の形態について説明する。（イ）  こたつぶとんカバー本体の表面１にマジックテープ４をとりつける。ビニール製シート３にマジックテープ５をとりつける。（ロ）  マジックテープ４をとりつけたこたつぶとんカバーとマジックテープ５をとりつけたビニール製シートを組みあわせる。
【０００６】［発明の効果］こたつぶとんカバーにビニール製シートをとりつけることによって汚れをふきとることが簡単にできる。
【図面の簡単な説明】
【図１】本発明の正面図である
【図２】本発明の断面図である。
【符号の説明】
１  こたつぶとんカバー本体２  こたつぶとんカバー本体表面３  ビニール製シート４  とりつけ用マジックテープ上側５  とりつけ用マジックテープ下側６  ファスナー部分
【図１】
2006181318.tif 000003
【図２】
2006181318.tif 000004
(57)【要約】      （修正有）【課題】歯磨きができない幼児の場合は親が、また寝たきりの病人の歯磨き介添人が歯を磨いていた。また、緊急災害時の水のない所や乗り物の中でもは容易に歯磨きができなかった。【解決手段】歯ブラシ全体が食べられる素材からなっており、歯ブラシ全体表面積の４０％以上に植毛されている歯ブラシによって、前記問題が解決できる。【選択図】図１
2006181317.tif 000002
【特許請求の範囲】
【請求項１】
歯ブラシ全体が食べられる素材からなっており、歯ブラシ全体表面積の４０％以上に植毛されている歯ブラシ。
【発明の詳細な説明】
【技術分野】
【０００１】歯ブラシに関し、特に食べることができる歯ブラシに関する。［背景技術］【０００２】歯ブラシの多くは柄がついており、該柄の先の一部にブラシがついているものが一般的である。【０００３】柄のない歯ブラシも提案されているが、歯ブラシ自体を食べることができる素材に言及した提案はない。    ［実用新案文献１］  公開実用  昭和５５−１１４２３８  公報［発明の開示］［発明が解決しようとする課題］【０００４】子供や老人等の歯ミガキが一人で安全にできるように、また災害時や旅行中にも水なしでも歯磨きができるように考えた歯ブラシ。［課題を解決するための手段］【０００５】本発明になる歯ブラシは歯ブラシ全体が食べられる素材からなっており、歯ブラシ全体表面積の４０％以上に植毛されている歯ブラシである。  本発明の歯ブラシの台座部分及び歯を直接磨くブラシの部分も食べられる材料から構成されており、磨き終わった後は口中の唾液によって溶解するか又は噛む事によって食べることができる事を特徴としている。この材料としては例えばコラーゲン、ゼラチン、寒天、甲殻類由来のキトサン、カルシウムなどを材料として使用することが可能である。勿論材料はこれらに限定されるものではない。唾液で溶解する材料、食べられる素材であれば特に限定されないが、歯ブラシに好適と考えられるブラシの成形性、柔軟性などを備えたブラシであることが望ましい。  台座とブラシの成分は同一物質から構成されていても良く、異なっていても良いが、いずれの場合も全て食べることが出来る歯ブラシである。  ここで定義する食べられる歯ブラシとは固体状態で食べられるものでも良く、唾液で溶解したものを飲み込む事も含める。  また、本発明は歯ブラシ全体表面積の４０％以上に植毛されている事が必要である。植毛面積が少ない場合は歯磨きの効率が悪く、口内で違和感を覚えるので良くない。好ましい植毛率は８０％以上、特に好ましくは１００％である。植毛率１００％とは歯ブラシ全体に実質全面に植毛してあることを意味する。本発明で言う植毛面積とは植毛されている部分の最も短い植毛間隔に対して、２．０倍以内の間隔で植毛されている部分の面積を台座面積で除した値を百分率で表した値である。  歯ブラシ全体の形状は特に限定されないが、口内で容易に転がす事から、横：縦：長さの比が１：３以下：３以下とすることが好ましく、中でも実質的に球形状であることが最も好ましい。  台座の形状は歯ブラシ全体の形状に近似していることが好ましいが、特に限定されるものではない。本発明になる好ましい歯ブラシは基本的に歯ブラシ全体を口内に含みながら口内で転がして歯を磨き、磨いた後はそのまま飲み込むことができる歯ブラシであるから、歯ブラシ全体の形状は大きくない方が好ましい。歯ブラシの形状が球形である場合は直径が３．０ｃｍ以下、好ましくは２．０ｃｍ以下が特に好ましい。  非球形の場合は、最も長い部分は５．０ｃｍ以下が好ましく、３．０ｃｍ以下が特に好ましい。［発明の効果］【０００６】本発明の歯ブラシによって、幼児は遊びながら、寝たきりの人は横になったまま、緊急災害時の水がないときの歯磨きの代用として、旅行中の乗り物の中などでも本発明の歯ブラシを含み、口を動かしているだけで歯を磨くことができ、かつ口の中のマッサージが容易にでき、唾液の分泌促進に効果があり、虫歯予防や痴呆防止、眠気防止にも応用できる。【０００７】歯ブラシ使用後の後処理が不要のため、現在問題となっている廃棄物処理による環境汚染が発生しない。【０００８】こうした観点から多くの方面で社会貢献ができる。［発明を実施するための最良の形態］【０００９】  歯ブラシ全体の直径２ｃｍ以下の球形が最良の形態である。［実施例］【００１０】台座、植毛共に食品で台座直径１０ｍｍの球形状台座に毛５〜１０本を２ｍｍ間隔で台座の全面積に植毛した。台座から毛先までの平均長は４ｍｍ、歯ブラシ全体の直径は１８ｍｍである。これを口に含み、舌や頬の内側で転がしている約３０分間で毛が溶けた。残った台座も少し溶けていたので、歯でかみ砕いて飲み込んだ。  歯ブラシ全体が食べられる素材からできていたので、その後の体調には全く問題がなかった。［産業上の利用可能性］【００１１】幼児から老人までの介助の軽減、唾液分泌促進による虫歯予防、痴呆防止、また緊急災害時や旅行中などの口内の衛生管理、車両運転中の眠気防止など、各方面での幅広い応用ができる。
【図面の簡単な説明】
【００１２】
【図１】本発明を実施するための最良の第一の形態の正面及び左右側面、上面、底面、背面の各々の断面図である。
【符号の説明】
【００１３】  １は食品素材で出来た台座の部分である。  ２は食品素材で出来たブラシ部分である。
【図１】
2006181317.tif 000003
(57)【要約】【課題】  本発明は、１対の箸の、１本の箸を動箸とし、動箸に人差し指と中指を入れる２個のリングを設け、他の１本の箸を固定箸とし、固定箸に薬指を入れる１個のリングと、箸を開閉するときに生じる箸先のズレを防ぐ脱着式のガイドを設け、その箸を使用することによって、箸の正しい握り方、使い方を身に付けることを特徴とする矯正用のお箸を提供する。【解決手段】  １対の箸の、１本の箸を動箸とし、動箸に人差し指と中指を入れる２個のリングを設け、他の１本の箸を固定箸とし、固定箸に薬指を入れる１個のリングと、箸を開閉する時に生じる箸先のズレを防ぐ脱着式のガイドを設け、その箸を使用することによって、箸の正しい握り方、使い方を身に付けることを特徴とする。【選択図】  図３
2006181321.tif 000002
【特許請求の範囲】
【請求項１】
１対の箸の、１本の箸を動箸とし、動箸に人差し指と中指を入れる２個のリングを設け、他の１本の箸を固定箸とし、固定箸に薬指を入れる１個のリングと、箸を開閉するときに生じる箸先のズレを防ぐ脱着式のガイドを設け、その箸を使用することによって、箸の正しい握り方、使い方を身に付けることを特徴とする矯正用のお箸。
【発明の詳細な説明】
【技術分野】
【０００１】  本発明は、１対の箸の、１本の箸を動箸とし、動箸に人差し指と中指を入れる２個のリングを設け、他の１本の箸を固定箸とし、固定箸に薬指を入れる１個のリングと、箸を開閉するときに生じる箸先のズレを防ぐ脱着式のガイドを設け、その箸を使用することによって、箸の正しい握り方、使い方を身に付けることを特徴とする矯正用のお箸に関するものである。
【背景技術】
【０００２】  従来、箸の使い方の悪さが問題になっていたが、正しい握り方や使い方に矯正するための箸はなかった。
【発明の開示】
【発明が解決しようとする課題】
【０００３】  そのために、次のような問題点があった。
子供のときに、箸の正しい握り方や使い方を身に付けていないため、大人になっても正しく箸を使つえない原因になっていた。
本発明は、以上の問題点を解決しようとするものである。
【課題を解決するための手段】
【０００４】  １対の箸の、１本の箸を動箸とし、動箸に人差し指と中指を入れる２個のリングを設ける。
他の１本の箸を固定箸とし固定箸に薬指を入れる１個のリングと、箸を開閉するときに生じる箸先のズレを防ぐ脱着式のガイドを設ける。
その箸を使用することによって、箸の正しい握り方、使い方が身に付けられる。
以上を特徴とする矯正用のお箸。
【発明の効果】
【０００５】  本発明は、箸の使い方が悪い人、これから箸を使い始める人が、普通に使用することにより無理なく、箸の正しい握り方、使い方を身に付けることができる。
【発明を実施するための最良の形態】
【０００６】  以下、本発明の実施の形態を説明する。
（イ）１対の箸の、固定箸（１）の下面に薬指を入れる半円環状体のリング（３）を設ける。
（ロ）１対の箸の、動箸（２）の上面に人差し指を入れる半円環状体のリング（４）と中指を入れる半円環状体のリング（５）を動箸（２）の下面に設ける。
（ハ）固定箸（１）に取り付けた、半円環状体リング（３）の先方に、箸先のズレを防ぐＵ字状のガイド（６）を装着する。
（ニ）ガイド（６）は、固定箸（１）に装着するために、Ｕ字状ガイドの下端に中空部（８）を有する装着部（７）を設け、中央部（８）に固定箸（１）を挿入することにより固定箸（１）に装着される。
（ホ）各、半円環状体のリングは、指の爪までが入る程度の大きさがよい。
本発明は、以上の構成よりなっている。
本発明を使用するときは、固定箸（１）にガイド（６）を上向きに装着する。
１対の箸に固定された３つの半円環状体のリングに３本の指先を入れ、箸を使用する。
ガイド（６）により箸先がそろい、使いなれてきたら、ガイド（６）を取りはずし使用する。
【図面の簡単な説明】
【０００７】
【図１】  本発明の斜視図である。
【図２】  本発明の分解斜視図である。
【図３】  本発明の使用状態を示した斜視図である。
【符号の説明】
【０００８】    １  固定箸
２  動箸
３  リング
４  リング
５  リング
６  ガイド
７  装着部
８  中空部
【図１】
2006181321.tif 000003
【図２】
2006181321.tif 000004
【図３】
2006181321.tif 000005
(57)【要約】【課題】  ガスコンロの上で生魚を焼く時、魚が燃えたり、焦げついたり、取りにくくて、形くずれしないで良く焼けるように、手軽なフライパン形状具の底面である部分を、平面でなく、巾の広い平坦に近い凹凸面でなく、三角の山波の頂点が金網のように、細く、底の面が深い波形なので、火力火熱が外側に広がらず波間の中で効率良く加熱する。火口穴（９）からも余力の加熱が魚に放熱する。  以上の特徴のある三角波板魚焼きを提供するのである。【解決手段】  生魚が燃えず、焦げつかず、形くずれせず、取りやすく、焼き終った後の焼き具の水洗いが、流し台でフライパンのように簡単に洗いやすいように構成した特徴がある、三角波板魚焼きである。【選択図】  図２
2006181330.tif 000002
【特許請求の範囲】
【請求項１】
（イ）フライパン形状の魚焼き具の底面を、三角波形の構造に折り曲げる。
（ロ）その波板面に、火口穴を設けたもので。
（ハ）ガスコンロの上で、魚を焼いても、焦げつかず、形くずれせず、取りやすい形状に構成した特徴の、三角波板魚焼き。
以上のような構成からなる、三角波板魚焼き。
【発明の詳細な説明】
【技術分野】
【０００１】  本発明は、家庭のガスコンロの上で、魚を焼く器具を、フライパン形状の底面部分を、三角波形に折り曲げ三角の山形にする。
その波板側面に小さな火口穴を設けて、誰れが生魚を焼いても焦げつかず、燃えず、形くずれず、魚を取りやすくした、三角波板魚焼きである。
【背景技術】
【０００２】  従来の魚焼き具の金網タイプのものは、ガスコンロの上では、魚と油が燃えて、煙りが多く出て、丸コゲに成ることもあり、色々な改良具もあるが、器具の焼き面が魚と接する部分が広く大きいため、生魚を焼くと、フッソ加工されたものでも、魚が器具に焦げついて取りにくく、形くずれするため、ガスコンロ上では生魚を焼くのに苦労していた。
ガスコンロ内に構成された場所で水を入れ魚を焼くと内部の洗いそうじ片づけが大変であり困っていた。内部は見にくさもあって、水忘れによる火災の心配もあった。
【発明の開示】
【発明が解決しようとする課題】
【０００３】  そのため次のような問題点があった。
異常な煙を発し、時には丸こげに成る金網式具も、改良された焼き具も、使用後の洗いが容易でなく焦げかすの処理が大変であった。焦げつかないはずのフッソ加工器具も、生魚を焼くと次第にくっついて、魚の形くづれもあり、取りにくく、てこずっていた。
コンロ内に内蔵されたものは、見にくく内部の油汚れのそうじが大変で、コンロ内部の汚れ原因にも成って主婦を困らせていた。
本発明は以上の問題を解決しようとするものである。
【課題を解決するための手段】
【０００４】  手軽な、フタ付き角形フライパン形状で、その底面を金網役を成す三角山波形に折り曲げ、熱伝導面積を大にし、熱を外側に逃がさず、火力火熱が効率よく魚に伝わるように波山の側面部に小さな火口穴を設ける。
魚の油が流れ落ちても波底にとどまり、コンロ上で燃えなく煙を出さず、波山の頂点は魚と接する面が小さいので焦げつきにくく、波山の下から焼き箸で取りやすい波間の底は、洗いやすい丸面の底にした、三角波板魚焼きである。
【発明の効果】
【０００５】  本発明は、生魚をガスコンロの上で、手軽に良く焼くために、フライパン形状の底面を三角の山波形に形成したので、魚が焼き具に焦げつかず良く焼けて、取り出す時も魚の形くずれの心配がなく、使用後の焼き具の洗い処理が、他の器具金網式タイプやコンロ内内蔵の焼き具などよりも、簡単である。
【発明を実施するための最良の形態】
【０００６】  以下  本発明の実施の形態を説明する。
（イ）材質は本体をアルミ合金で成型し、持ち手の柄は、カシメリベットで取り付ける。
（ロ）蒸し焼きをすることも出来るように、本体にはプレス加工品の軽いふた（２）を付ける。
（ハ）高級品嗜好でなく、安す物好み向きの製品とする場合は、本体もふたも、柄も、軽金属板、ステンレス薄板でプレス加工による成型も可能である。
（ニ）三角波板（７）の頂点（８）は間隔を２０ミリ〜２５ミリとする。
（ホ）その波板の山の高さは、底面から頂点までを１５ミリ〜２０ミリとする。
（ヘ）その波板の側面に設ける火口穴（９）の穴の大きさは３ミリで、間隔は３０ミリ。
【図面の簡単な説明】
【０００７】
【図１】  本発明のふたの付いた状態の姿図。
【図２】  本発明のふたをはずした姿図。
【図３】  本発明の三角波板の山形を示す断面図。
【図４】  本発明の三角波板の断面拡大図の一部。
【図５】  本発明のふたの断面図
【符号の説明】
【０００８】    １    三角波板魚焼き        ６    穴
２    ふた                  ７    三角波板
３    取って                ８    波形の頂点
４    枠                    ９    火口穴
５    柄                  １０    脚
【図１】
2006181330.tif 000003
【図２】
2006181330.tif 000004
【図３】
2006181330.tif 000005
【図４】
2006181330.tif 000006
【図５】
2006181330.tif 000007
(57)【要約】      （修正有）【課題】重心が中心以外にあるか、または移動できることにより変則的に回転して飛行することができる飛行円盤のような玩具を提供する。【解決手段】飛行円盤の中心以外の部分に重りを設ける、さらに前記重りがぜんまいなどにより時間と共に移動することにより重心を変化させ変則的に飛行させる。また前記重りを遠隔制御により移動可能にし重心を変化させ変則的に飛行させることを可能にする。具体的には円盤本体１に重心を偏らせて飛行可能である適当な重り２が移動できるレール３を設けることにより重心を移動できる。【選択図】    図３
2006181325.tif 000002
【特許請求の範囲】
【請求項１】
回転しながら飛ぶ円盤の中心以外の部分に重りを設けるか、または重りを移動できることにより円盤の中心以外を基準に回転して飛ぶことを特徴とする飛行円盤。
【請求項２】
前記の重りがぜんまい等により一定時間後移動し、重心が変化して変則的に飛行することを特徴とする請求項１記載の飛行円盤。
【請求項３】
前記の重りが遠方制御等により移動可能であり、重心を変化させて変則的に飛行させることを特徴とする請求項１記載の飛行円盤。
【請求項４】
動力によるプロペラやヘリウムガス等の浮力により飛行する円盤で前記の重りが遠方制御等により移動可能であり、重心を変化させて変則的に飛行させることを特徴とする請求項１記載の飛行円盤。
【発明の詳細な説明】
【技術分野】
【０００１】  この発明は、重心が中心以外にあり、変則的に回転して飛行することができる飛行円盤のような玩具に関する。
【背景技術】
【０００２】  従来、飛行円盤のように投げて遊ぶまたは、飛ばせて遊ぶ玩具は、図７に示すように、円盤本体１の中心が重心である。
【発明の開示】
【発明が解決しようとする課題】
【０００３】  しかしながら、以上の技術によれば、飛行円盤は中心を基準に回転して飛行するだけであった。そこで、この発明は、重心を中心以外に設け、変則的に回転して飛行することができる飛行円盤を提供することを課題とする。
【課題を解決するための手段】
【０００４】  以上の課題を解決する為に、第一発明は、飛行円盤の中心以外の部分に重りを設けるかまたは吸盤等により取り付け可能な重りを設けたり、円盤本体に穴やレール等を設け、重りを取り付けたことを特徴とする飛行円盤である。
また、第二発明は、前記の重りがぜんまい等により一定時間後移動し、重心が変化して変則的に飛行することを特徴とする飛行円盤である。
また、第三発明および第四発明は、前記の重りが遠方制御等により移動可能であり、重心を変化させて変則的に飛行させることができることを特徴とする飛行円盤である。
【発明の効果】
【０００５】  この発明によれば、投げた円盤が中心を基準に回転して飛行するのではなく偏った重心を中心に左右に振れながら飛行するので捕まえる者には複雑になり、今までにない技術や感覚を楽しむことができる。第二発明によれば、飛行の途中より左右に振れるようになりまた第三発明、第四発明によれば、遠方操作者により自由に振れを操作できるし、断続的に重心を変化させれば大きく位置を変えることが可能であり、より高度な技術や感覚を楽しむことができる。
【発明を実施するための最良の形態】
【０００６】  この発明の一実施形態を、図１に示す。
円盤本体１の中心以外の部分に重心を偏らせて飛行可能である適当な重り２が設けられている。【０００７】  この実施形態によれば、円盤本体１が中心を基準に回転して飛行するのではなく重り２により偏った重心を中心に左右に振れながら飛行するので捕まえる者には複雑になり、今までにない技術や感覚を楽しむことができる。【０００８】  図３および図４に示す実施形態は、重り２を移動するためにレール３を設け、重り２をレール３に嵌め込む形状にしたものである。
図５に示す実施形態は、複数の重り２を円盤本体１の外周寄りに設けたレール３に沿って移動できるようにしたものである。
図６に示す実施形態は、遠方操作のための無線装置および駆動モーター４を設け、連結棒５により重り２を移動するものである。このような遠方操作の場合は、下に底板を設けて内蔵式の機構にしてもよい。無線装置および駆動モーター４の代りにぜんまい等を設けて一定時間後移動し、重心が変化して変則的に飛行するようにしてもよい。
動力によるプロペラやヘリウムガス等により浮力を追加することでより多くの遠方操作が可能となり高度な技術や感覚を楽しむことができる。
【図面の簡単な説明】
【０００９】
【図１】この発明の一実施例を示す底面図である。
【図２】図１におけるＡ−Ａ線断面図である。
【図３】他の実施形態による底面図である。
【図４】図３におけるＢ−Ｂ線断面図である。
【図５】他の実施形態による底面図である。
【図６】他の実施形態による底面図である。
【図７】従来技術を示す部分断面図である。
【符号の説明】
【００１０】１  円盤本体
２  重り
３  重りを移動するためのレール
４  遠方操作のための無線装置および駆動モーター
５  連結棒
【図１】
2006181325.tif 000003
【図２】
2006181325.tif 000004
【図３】
2006181325.tif 000005
【図４】
2006181325.tif 000006
【図５】
2006181325.tif 000007
【図６】
2006181325.tif 000008
【図７】
2006181325.tif 000009
(57)【要約】      （修正有）【課題】煙や臭いをなくし、又電気コードやコンセントの場所に制限を受けることのない、何処でも自由に使える温灸器を提供する。【解決手段】熱源を使い捨てカイロとし、底面を加熱部１とする。上部を保持部２とし、ベルト３を設ける。熱源を使いすてカイロとするため、空気孔４を設け、さらに気温差や体温の個人差に対応させる為、開閉自在な調節孔５を設ける。加熱部の素材は熱伝導の良い金属や、遠赤外線を発するセラミックス、あるいは樹脂等を使用する。【選択図】図１
2006181333.tif 000002
【特許請求の範囲】
【請求項１】
底面を加熱部とし、上部を保持部とする温灸器において熱源を使いすてカイロとすることを可能とした空気孔を有する形状を特徴とした温灸器
【発明の詳細な説明】
【技術分野】
【０００１】本発明は底面を加熱部とし、上部を保持部とする温灸器において、熱源を使いすてカイロとすることを可能とした空気孔を有する形状を特徴とした温灸器である。〔背景技術〕【０００２】従来の多くの温灸器の熱源は、もぐさや線香、あるいは電気熱のものがほとんどである。しかし、もぐさ等は煙や臭いが欠点となり、電気熱はコードやコンセントの場所により制限を受ける。いずれの場合もこの短所を受容せざるを得ないのが現状である。〔発明の開示〕〔発明が解決しようとする課題〕【０００３】本発明は、前項を改善させる為、熱源を使いすてカイロとした。それにより煙や臭いをなくし、又、電気コードやコンセントの場所に制限を受けることなく、どこでも、自由に、かつ使い易い温灸器の提供を計る。〔課題を解決する為の手段〕【０００４】本発明は上記課題の解決として、まず使いすてカイロの収納が可能となる形状として、先願（特願２００４−２５１１４８参照）と基本的にほぼ同型とした。先願の熱源は電熱であるが、本発明は公知の使いすてカイロである。市販の使いすてカイロをそのまま使用することも出来るが、本願温灸器の体積、持続時間、発熱温度等の熱源特性を考慮し、金属粉及びその包袋の空気透過性等を調整した本願指定のものを使用すると一層効果的である。使いすてカイロの収納時の方法としては、例えば器具本体を上下に２分割し、一辺だけを固定し、他の３辺が分離する開閉式（例：化粧用コンパクト）や器具を固定したまま挿入口を設ける挿入式等、いずれでもよい。収納部▲７▼に収納された使いすてカイロは、空気に触れさせる必要がある為、空気を送る空気孔▲４▼を設ける。さらに気温差や体温の個人差に対応させる為、開閉自由な調節孔▲５▼を設ける。調節孔を利用することにより収納部に流入する空気量は増え、温度は上昇する。それにより温度調節の困難な熱源ではあるが、温度に多少の巾を持たせることが可能となる。調節孔の例としては、例えば本体の１部に孔を設け、着脱可能な蓋を取り付けるだけでもよいが、出来れば調節孔の面積の調整が可能なものにするとよい。基本的には蓋をしたまま使用し、温度を上げる場合のみ調節孔を開く。位置は全体のデザインや大きさなどにより適宜設定する。保持部▲２▼のベルト▲３▼の素材は多少収縮性のある材質がよい。加熱部▲１▼の素材は熱伝導の良い金属や遠赤外線を発するセラミックス、あるいは樹脂等を使用する。又、アロマテラピー効果を加える場合は、精油を滴下させる含油凹部▲６▼を設ける。（実用新案登録第３０９３７４８号参照）背部など、長い保持部が必要な場合はその接合部をはめ込み式、ネジ式あるいは引き出し式とした付属品として考えてよい。〔発明の効果〕【０００５】本発明は、従来の温灸器より加熱部の面積が広い為、熱源となる使いすてカイロの収納が可能となった。通常は空気孔のみで使用可能となるが、さらに気温の低い時期や場所、あるいはより高温が適する身体の部位等に使用する場合は、調節孔を開く。それにより困難な温度調節が可能となる。又、煙や臭いがないので周囲に気を使うことなく、さらに電気コードやコンセントの場所にも制限されることがない。自由に、何処ででも使える便利な温灸器である。〔発明の実施する為の最良の形態〕【０００６】本発明は熱源が使いすてカイロである為、煙や臭いに悩まされることなく電気コードやコンセントの場所にも制限を受けることのない温灸器である。又、熱源の発熱に必要な空気の取り入れは、空気孔のみでなく、調節可能な孔も設けることにより、温度の巾が広がり、温灸器としての機能を十分に果すことが出来る。アロマテラピーを楽しむ場合は含油凹部を設ける。（実用新案登録第３０９３７４８号参照）それにより、温熱、押圧と共に、自分の好きな香り、あるいは症状に合った精油を使いアロマテラピーとの相乗効果も得ることが出来る。この様に本発明は病室や会社等でも周囲に気を使うことなく使用が可能となり、屋外や車内等でも自由に楽しめる携帯にも便利な温灸器である。
【図面の簡単な説明】
【０００７】
【図１】鳥瞰図
【図２】断面図
【符号の説明】
【０００８】▲１▼加熱部▲２▼保持部▲３▼ベルト▲４▼空気孔▲５▼調節孔▲６▼含油凹部▲７▼カイロ収納部▲８▼断熱材
【図１】
2006181333.tif 000003
【図２】
2006181333.tif 000004